(57)【要約】【課題】  排出された硬貨が受け皿上で確実に分別され、かつ硬貨を取り出しやすい硬貨払出装置を提供する。【解決手段】  硬貨を種別毎に収納する収納部と、前記収納部に収納された硬貨を種別毎に排出する排出部と、前記排出部で排出された前記硬貨を受ける受け皿と、前記受け皿の底面に、前記硬貨を種別毎に並んで保持する硬貨全体の上方が開放され前記排出部側からこの排出部に対向する壁に向かう形成される溝とを備えた硬貨払出装置とした。【選択図】  図１
2013186579.tif 000002
【特許請求の範囲】
【請求項１】
硬貨を種別毎に収納する収納部と、
前記収納部に収納された硬貨を種別毎に排出する排出部と、
前記排出部で排出された前記硬貨を受ける受け皿と、
前記受け皿の底面に、前記硬貨を種別毎に並んで保持する硬貨全体の上方が開放され前記排出部側からこの排出部に対向する壁に向かう形成される溝と
を備えた硬貨払出装置。
【請求項２】
前記底面は硬貨が前記排出部側からこの排出部に対向する壁に向かって次第に低くなるように傾斜して形成された
請求項１記載の硬貨払出装置。
【請求項３】
前記溝は硬貨の排出方向と直交する方向に硬貨の種別ごとに並べて設けられ、それぞれ硬貨の大きさに対応した幅となっている
請求項１記載の硬貨払出装置。
【請求項４】
前記受け皿の隣り合う溝の端部間は平面に形成されている
請求項２記載の硬貨払出装置。
【請求項５】
前記底面の溝は、前記底面の最大傾斜方向に対して直交する断面が弧状とされた
請求項１記載の硬貨払出装置。
【請求項６】
前記排出部は受け皿が形成される面よりも上方に設けられ、
前記溝は前記排出部で硬貨が排出された際の落下で硬貨が跳ねる高さよりも深くした
請求項１記載の硬貨払出装置。
【発明の詳細な説明】
【技術分野】
【０００１】
本発明の実施形態は、硬貨払出装置に関する。
【背景技術】
【０００２】
硬貨を収納し、外部から入力された金額になるように収納した硬貨を払い出す硬貨払出装置が知られている。このような装置においては、例えばＰＯＳ端末などから硬貨払出装置に入力された釣銭の情報によって、この硬貨払出装置から払いだされた金額を釣銭とするものがある。
【０００３】
ここで、釣銭として払い出された硬貨はＰＯＳ端末の操作者が釣銭額に間違いがないことを確認して客に渡すために、硬貨を金種別に揃えて排出できるように、奥側から手前側に向かって受け皿の底面から立設された断面Ｔ字型のリブで、硬貨の側部および上面側の端部をガイドするようにしたものが考えられた。
【０００４】
しかしながら、このようなＴ字状のリブを設けた場合には、その硬貨を取り出すことに手間がかかり実用的でない。そこで、受け皿をほぼ平面で幅広くして、硬貨払出装置から種別毎に並べて払い出された硬貨が分別されて排出され、かつ排出された硬貨が見やすいようにしたものがある。
【先行技術文献】
【特許文献】
【０００５】
【特許文献１】特開平１１−２４８１５８号公報
【発明の概要】
【発明が解決しようとする課題】
【０００６】
ところで、収納部に収納された硬貨を排出する排出口が受け皿よりも数センチから１０センチ程度上方にあるため、硬貨は少し上方から受け皿に落下するように滑り落ちるために、硬貨が受け皿に落ちたときに思わぬ方向に跳ねて他の硬貨と混ざってしまい、その数が数えにくくなってしまうことがある。
【課題を解決するための手段】
【０００７】
本実施例では、硬貨を種別毎に収納する収納部と、前記収納部に収納された硬貨を種別毎に排出する排出部と、前記排出部で排出された前記硬貨を受ける受け皿と、前記受け皿の底面に、前記硬貨を種別毎に並んで保持する硬貨全体の上方が開放され前記排出部側からこの排出部に対向する壁に向かう形成される溝とを備えた硬貨払出装置とした。
【図面の簡単な説明】
【０００８】
【図１】釣銭機の外観斜視図。
【図２】釣銭機の内部構造を概略的に表す平面図。
【図３】受け皿を拡大した図１のＩ−Ｉ間の断面図。
【図４】受け皿付近を拡大した図３のII−II間の断面図。
【発明を実施するための形態】
【０００９】
以下、図１ないし図４を用いて、この実施の形態の硬貨払出装置を説明する。この硬貨払出装置は、ＰＯＳ端末などと連動して、ＰＯＳ端末から受けた支払金額を払いだすと共に、店員が客から受け取った硬貨を種別ごとに分別して収納する釣銭機１に適用したものである。
【００１０】
図１は釣銭機１の外観斜視図、図２は釣銭機１の内部構造を概略的に表す平面図、図３は受け皿近傍を拡大した図１のＩ−Ｉ間の断面図、図４は受け皿近傍を拡大した図３のII−II間の断面図である。
【００１１】
釣銭機１は、正面２側に受け皿３、上面４の正面２側右側に客から受け取った硬貨５を投入するための投入口６、受け皿３の奥側に表示器７と４つのキー８が設けられている。また、正面２下部には鍵穴９が形成されて、鍵穴９に鍵を差し込んで回すと、この釣銭機１の内部を開放できるようになっている。
【００１２】
釣銭機１の内部は、６種別の硬貨５を種別ごとに収納するため６つの収納部１０が形成されている。また、投入口６から釣銭機１の正面２から見て右側に正面２側から後方に向かって搬送部１１が形成される。搬送部１１からほぼ直角に交差する分別部１２が形成される。この分別部１２は、収納部１０の上方に設けられ、それぞれの収納部１０に硬貨を分別して落下させるために硬貨５の大きさに応じた分別孔１３が形成され、この分別孔１３の大きさによって分別された硬貨５が収納部１０に上から落下して収納される。このために、この実施の形態の釣銭機１は、正面から見て右側から左に向かって順に径の小さい硬貨が収納される。日本国の硬貨であれば、右側から１円硬貨、５０円硬貨、５円硬貨、１０円硬貨、１００円硬貨、５００円硬貨の順に、これらの種別毎に収納される。なお、搬送部１１、分別部１２には硬貨５を搬送するためのベルト等が設けられている。搬送部１１上には適正な硬貨か否かを判別する判別装置１４が設けられ、判別装置１４で適正でない硬貨５あるいは硬貨５に似たものを検出したならば収納部１０に収納せずに排出されるが、詳細は省略する。
【００１３】
それぞれの収納部１０の下面１５は搬送ベルト１６が２つのローラ１７、１８に掛け渡され、ローラ１８はモータなどで回転駆動されて搬送ベルト１６を駆動し、収納部１０内の硬貨５をローラ１８側（正面２側）に向けて搬送する。搬送ベルト１６上で正面２寄りには収納部１０に収納された硬貨５を１枚ずつに搬送ベルト１６上に載置されるようにするための整列ローラ１９が設けられる。また、整列ローラ１９のさらに正面２寄りには、硬貨５を排出するときに開放される規制部材２０が設けられ、ＰＯＳ端末の支持によってこの規制部材２０が開放される。
【００１４】
ローラ１８が配置された搬送ベルト１６の正面２側端部は、硬貨を排出する排出部２１となっていて、受け皿３の上方に位置している。搬送ベルト１６を支持するローラ１８の下方には、搬送ベルト１６から落下した硬貨５を受け皿３に案内するガイド２２が設けられている。ガイド２２は、平板状の部材からなり、下方が正面２側に僅かに突出するように傾斜して、排出部２１から落下した硬貨５が受け皿３に滑り落ちるようにしてある。また、搬送ベルト１６の正面２側前方には、正面２側から搬送ベルト１６が直接見えないようにする目隠し板２３が上面４に設けられている。この目隠し板２３によって、操作者が直接搬送ベルト１６に触れてしまうことを防止しているとともに、搬送ベルト１６から硬貨５が勢いよく飛び出したとしても、受け皿３に硬貨５が確実に排出できる。
【００１５】
受け皿３には、硬貨の収納部１０のそれぞれの種別に対応してその底面３ａに硬貨の種別毎にその径の大きさに合わせて凹部とされた溝部２４が形成されている。受け皿３の底面３ａは、正面側から見て略長方形状となっている。溝部２４は、中央部２５が窪んだ弧状となっていて、隣り合う溝部２４の端部２６同士の間は平らな平面部２７として形成されている。受け皿３には、排出部２１側以外の底面３ａを囲むように壁部３ｂが形成されている。壁部３ｂは、排出部２１から排出された硬貨５が受け皿３の外に落ちることを防止する。
【００１６】
受け皿３の底面３ａは正面２側に向けて下るようになだらかな傾斜がつけられている。溝部２４は弧状となっているので、溝部２４は硬貨５の径方向の両端の二点で接触するため、硬貨５と溝部２４との摩擦抵抗が極めて小さい。受け皿３の僅かな傾斜で搬送ベルト１６から排出された硬貨５が、その落下の勢いと傾斜で受け皿３の正面２側の壁部３ｂまで滑って移動しやすくなっている。溝部２４の中央部２５から端部２６までの高さは、図３のように硬貨５が傾斜して保持された状態で硬貨５のほぼ中央になるようにしてある。すなわち、硬貨の種別ごとに溝部２４の高さを変えてある。溝部２４は、溝部２４で案内するそれぞれの硬貨５の直径とほぼ同じか、溝部２４の幅が僅かに大きくしてある。また溝部２４は、底面３ａに設けられた傾斜の最大傾斜方向、すなわち底面３ａの傾斜角度が最大となる方向に沿った方向とされている。
【００１７】
このような構造の釣銭機１はＰＯＳ端末と連動して動作する。ＰＯＳ端末において客が購入する商品の合計金額を計算し、客から預かった金額をＰＯＳ端末のキーボードから入力すると、釣銭の金額が計算される。この釣銭の金額が釣銭機１に送信されると、釣銭機１は送信を受けた金額を払い出す。釣銭を払いだすために釣銭機１は、ローラ１８を回転して搬送ベルト１６で硬貨５の搬送を開始する。また、払い出す硬貨の種別に応じて対応する収納部１０の規制部材２０を開放して、硬貨５を必要な枚数だけ排出する。
【００１８】
排出された硬貨５は、ガイド２２に沿って受け皿３に落下する。落下した硬貨５は、傾斜している受け皿３の溝部２４に沿って受け皿３上を滑って、正面２の壁部３ｂに当たる。溝部２４は、硬貨５が落下した際に受け皿３で跳ねる高さよりも高くしてあるので、硬貨５は溝部２４に沿って硬貨５は案内され、他の硬貨５と混ざり合う可能性が極めて少ない。これにより、操作者は容易に硬貨の数を数えることが可能となって、釣銭の間違いがあったとしてもすぐに気付く。溝部２４と硬貨５とは、硬貨５の直径方向に対向する２点で接触するために硬貨５と溝部２４の摩擦抵抗が少なくなり、受け皿３の傾斜のみでも硬貨５は溝部２４を滑るため、硬貨５が受け皿の壁部３ｂまで必ず移動し、操作者が硬貨５を受け皿から取り出す操作が行ないやすい。
【００１９】
また、硬貨５は受け皿３の溝部２４の傾斜に対してその傾斜とほぼ平行の状態で保持されるので、指で硬貨５の端を軽く押さえると硬貨５が少し立って取り出しやすくなる。また複数の種別の硬貨が同時に払い出された場合にも、硬貨５を指で押さえて立たせることで硬貨が溝部２４を乗り越え易くなるため、異なる溝部２４に排出された硬貨５を一つにまとめる作業が簡単に行え、すべての硬貨５をまとめた状態で取り出すことが可能となる。
【００２０】
この実施の形態では、溝２０の深さを（中央部２５から端部２６までの高さ）を硬貨５が傾斜して溝部２４に保持された状態で硬貨５の中央（真ん中）付近としてあるが、この深さは使用者の使いやすさの主観によって大きく変わる。また、受け皿３の材質によって硬貨の跳ねる度合いが違ので、落下した衝撃で硬貨５が交じり合わないような深さであって、使用者が使いやすい深さにすればいい。また、溝部２４の幅について、硬貨５の直径に対して狭すぎるのは問題があるが、確実に分別して保持できる幅であれば、どのような幅であっても適宜採用可能である。また、溝部２４は、弧状となっているもので説明したが、小さな階段状の複数の段差によって凹んだような形状に形成されるなど、硬貨５を確実に分別して保持できかつ操作者が硬貨を受け皿３から取り出すときに取り出しやすいものであれば、各種の形状が採用可能である。
【００２１】
このように、上記の実施の形態例として提示したものであり、発明の範囲を限定することは意図していない。これら新規な実施形態は、その他の様々な形態で実施されることが可能であり、発明の要旨を逸脱しない範囲で、種々の省略、置き換え、修正を行うことができる。これら実施形態やその変形は、発明の範囲や要旨に含まれるとともに、特許請求の範囲に記載された発明とその均等の範囲に含まれる。
【符号の説明】
【００２２】
１・・釣銭機
３・・受け皿
３ｂ・・底面
４・・硬貨
１０・・収納部
１６・・搬送ベルト
１９・・整列ローラ
２０・・規制部材
２４・・溝部
２７・・平面部
【図１】
2013186579.tif 000003
【図２】
2013186579.tif 000004
【図３】
2013186579.tif 000005
【図４】
2013186579.tif 000006